(57)【要約】【課題】掲示物に穴を開けることなく掲示物を常時一定の力で保持することができ、さらにピンを取り外すことなく、掲示物を容易に取り替えることが可能な掲示物固定具を提供する。【解決手段】掲示物固定具において、ピンだけで固定するのではなく、ピンと弾性体によって板状体を押さえるため、常時一定の力で掲示物を固定することができ、さらにピンを板状体の中心からずらしてとめ、板状体の一端を突出させることにより、掲示物を容易に取り替えることができる。【選択図】図１
0003126004.tif 000002
【実用新案登録請求の範囲】
【請求項１】
メモや写真のような掲示物を壁体に固定するための固定具において、壁体に突き刺すためのピンと、中央から長手方向の一端側寄りの位置に前記ピンが嵌合可能であり、かつ内径が漸次縮径した貫通穴を設けた板状体とを備え、前記板状体に設けた貫通穴に少なくとも板状体の厚み以上の厚みを有する弾性体を貫通穴内径が漸次縮径した側の反対方向のみに突出するように嵌合し、かつ板状体から突出した前記弾性体を板状体へ押しつける方向に向けて前記ピンを差し込み、かつ前記ピンの先端が貫通穴の軸心に対し少なくとも半径以内の場所にピン先端が位置するようにしたことを特徴とする掲示物固定具。
【請求項２】
前記弾性体において、弾性体が押しバネであることを特徴とする請求項１に記載された掲示物固定具。
【請求項３】
前記板状体において、ピン先端が挿入される反対側の面に凹部を設け、その凹部に板状体の素材よりも弾力のある係止具を装填した請求項１及び２に記載された掲示物固定具。
【請求項４】
前記貫通穴において、貫通穴内周面から軸心方向に向けて突起を設けたことを特徴とする請求項１から３に記載された掲示物固定具。
【考案の詳細な説明】
【技術分野】
【０００１】  本考案は、被対象物例えば、壁面等にメモやポスター、写真等の掲示物に穴を開けることなく固定することができ、さらに容易に掲示物を取替え可能としながらも強固に固定し、かつ固定具自体も脱落が防止できる掲示物固定具に関する。
【背景技術】
【０００２】  従来、メモやポスターのようなシート状の掲示物を壁面等に固定するために、画鋲やピンが用いられている。【０００３】  しかしながら、これら従来の画鋲やピンでは押し回しながら入れなければ、入りにくいとう問題点があった。【０００４】  また、針部が掲示物を貫通し壁面等に突き刺すため、掲示物の一部が損傷を受ける事になり、大切なポスター・写真等をピンで固定することができないという問題点があった。【０００５】  また、従来のピンでは針部で掲示物を押えることになり、風などで掲示物の穴が広がり切れてしまったり、風そのもので掲示物がピンごと落下してしまったり、落下したピンを踏んで怪我をしてしまうという問題点があった。その対策の１つとして、ポスターの略四隅のピンを刺す部分にテープを貼り、そこへピンを刺しとめるという作業が必要であった。【０００６】  近年、上記のような問題点を解決するためのピンがいくつか提案されている。【０００７】  第１のピンは、掲示物押え面とその面に垂直に穴の開いた筒部分を持つ面押さえ部品を持ち、その筒部分にスプリングを通し、筒部分の付け根部分とスプリング一端の先端部分とを接着したものを、画鋲本体の付け根部分とスプリングの他端の先端部分とに接着した構造になっている。（例えば、特許文献１参照）【０００８】  第２のピンは、プレートの一方側に高摩擦材を取り付け、他方側に画鋲の針を通すことが出来る穴を設けた構造になっている。（例えば、特許文献２参照）【０００９】
【特許文献１】特開２００３−８０８９４号公報（図１）
【特許文献２】特開平９−２２２８５７号公報（図１）
【考案の開示】
【考案が解決しようとする課題】
【００１０】  ところで、上記のようなピンには、それぞれ利点もあるが問題もある。【００１１】  先ず、第１のピン（特許文献１）は、掲示物押え面を持つ筒にスプリングを通している構造のため、ピンの深さに関係なく、スプリングの力でたえず面でしっかり押えることができるという利点があるが、針部が掲示物を貫通するため、大切なポスターや写真に穴が開いてしまうという問題点や強い風が吹いたときなど、やはり針部が掲示物を貫通しているため、大切なポスターや写真が破れてしまったり、ピンごと抜け落ちてしまう問題点が解決されていなかった。【００１２】  また、押え面を持つ筒形状のため、紙を押える面が狭くなってしまい、押え面を広くするためには、筒形状を大きくする必要があり、掲示物押えとしては、大きなものになり、景観上掲示物よりも目立ってしまい好ましくないといった問題点が新たに発生してしまっていた。【００１３】  さらに、使用時以外は針が常に筒内に収納される構造のため、針の長さ以上の筒形状が必要になったり、筒形状が大きくなる事でコストがかかったり、包装物も大きくなってしまうという問題点があった。【００１４】  さらにまた、掲示物を取り替える場合に、その都度掲示物固定具を外し、再度刺し直すことが必要となり、壁面等に複数の穴を開けてしまう問題点もあった。【００１５】  次に、第２のピン（特許文献２）は、プレートの一方側に高摩擦材を取り付け、他方側に画鋲の針を通すことのできる穴を設けた構造のため、掲示物に穴を開けることなく壁面等へ固定できる利点があるが、プレートの材質が硬質材であれば、厚みのある掲示物をとめつけることができず、プレートの材質が軟質材であれば、掲示物を押さえる保持力が低下する場合があり、掲示物を保持できなくなるという問題が新たに発生してしまっていた。【００１６】  また、ほぼピンの保持力のみで掲示物を押さえることになり、ピンを奥までさし込まないとプレートをしっかり保持することができない問題点もあった。【００１７】  また、しっかりピンをさし込んでしまうと、ピンを外す時に手間がかかるという問題点も新たに発生してしまっていた。【００１８】  また、掲示物を取り替えたい場合に、プレートの材質が軟質材であると、掲示物の取り替えは容易になるが、プレートに曲がるくせがつきやすく、掲示物の保持力が低下してしまうという問題点があった。また、プレートが硬質材であると、掲示物を取り替える際にプレートを持ち上げるため、容易に針が抜けてしまうという問題点もあった。【００１９】  そのため、掲示物を取り替える場合は、その都度針部を外し再度刺し直すことが必要となり、壁面等に複数の穴を開けてしまう問題点もあった。【００２０】  そこで本考案は、従来の技術が有する上記のような問題点に鑑み、ポスター・写真のようなシート状の掲示物に穴を開けることなく、常時一定の力で保持することができ、さらに固定具を必要以上に大きくしなくても済むため、景観上も目立ちにくくすることができ、さらに包装の大きさも抑えられるので、コスト削減ができ、従来のように押し回ししなくてもピンを容易に刺すことができ、さらにピンを取り外すことなく、掲示物を容易に取り替えることが可能としながらも、強固に固定し��かつ固定具自体も脱落が防止できる掲示物固定具を提供することを目的とする。
【課題を解決するための手段、及び作用】
【００２１】  このような問題点を解決するために、請求項１の考案は、メモや写真のような対象物を壁体等に固定するための固定具において、壁体等に突き刺すためのピンと、中央から長手方向の一端側寄りの位置に前記ピンが嵌合可能かつ内径が漸次縮径した貫通穴を設けた板状体とを備え、前記板状体に設けた貫通穴に少なくとも板状体の厚み以上の厚みを有する弾性体を貫通穴内径が漸次縮径した側の反対方向のみに突出するように嵌合し、かつ板状体から突出した前記弾性体を板状体へ押しつける方向に向けて前記ピンを差し込み、かつ前記ピンの先端が貫通穴の軸心に対し少なくとも半径以内の場所にピン先端が位置する構成を採用したものである。
【００２２】また、請求項２の考案は、前記弾性体を押しバネにすることにより、板状体を効率よく押えることができ、掲示物を常時一定の力で保持することができる構成を採用したものである。
【００２３】  また、請求項３の考案は、板状体において、ピン先端が挿入される反対側の面に凹部を設け、その凹部に板状体の素材よりも弾力のある係止具を装填することにより、掲示物の保持力を増す事ができる構成を採用したものである。
【００２４】  さらに、請求項４の考案は、前記貫通穴において、貫通穴内周面から軸心方向に向けて弾性体を係止させるための突起を設けたことにより、取付け時に弾性体が板状体から外れないようにする構成を採用したものである。
【考案の効果】
【００２５】  本考案の請求項１に記載の構造によれば、板状体の中央から長手方向の一端側寄りの位置にピンが嵌合可能であり、かつ内径が漸次縮径した貫通穴を設けており、その貫通穴にピンをさし込むため、掲示物を板状体の他端の広い面積ではさみ押えることができるため、掲示物をピンで損傷させることなく固定することができる。また、板状体の他端の面で押えるため、大切なポスターや写真が破れてしまったり、風などで掲示物がピンごと抜け落ちてしまうことがなくなる。それにより、落下したピンを踏んでしまい怪我をすることもなくなる。
【００２６】  また、ピンを板状体長手方向一端側寄りに偏らせてとめているため、板状体を大きくすることなく、掲示物を押える面を十分確保できるため、掲示物よりも目立つ事もなく、大きくする必要がないので、コストも抑えることができる。
【００２７】  また、板状体に設けた貫通穴に、少なくとも板状体の厚み以上の厚みを有する弾性体を貫通穴内径が漸次縮径した側の反対方向のみに突出するように嵌合し、かつ板状体から突出した前記弾性体を板状体へ押しつける方向に向けてピンを差し込み、かつピンの先端が貫通穴の軸心に対し少なくとも半径以内の場所にピン先端が位置しているため、板状体をピンの保持力のみで押さえるだけでなく、ピンが弾性体を押えると、弾性体の元に戻ろうとする力が働き、必然的に物品を押える方向、つまりピンを押しつける方向に力が働くため、常時板状体に押しつける力が加わることになり、より強固に板状体を押さえとめることができる。
【００２８】  また、弾性体があることにより作用・反作用の関係で、上記と同様に常時板状体へ押しつける力を加えることができるため、板状体の材質や硬さによらず、安定して掲示物をとめ付けることができる。
【００２９】  また、請求項２に記載の構造によれば、弾性体を押しバネとすることで、押しバネが縮み、戻ろうとする力が働き、その力を板状体により効率よく力を加えることができ、常時一定の保持力を与えることができる。
また、弾性体を押しバネとすることで、板状体の一端を押すと押しバネの他端側が必然的に縮むためスムーズに他端の掲示物押え面の隙間が開き、掲示物を取付け位置に置き、板状体の他端をはなすと、バネの弾性力によって元に戻り掲示物を押える。そのことにより掲示物の取替えを容易に行うことができる。さらに、そのことにより、掲示物を取り替える際に、その都度掲示物固定具を取り外し、再度ピンを刺す必要がなくなる。
【００３０】  また、請求項３に記載の構造によれば、ピン先端が挿入される反対側の面に凹部を設け、その凹部に弾力のある係止具を装填させるので、弾性体の摩擦力により、通常よりも掲示事物を落ちにくくすることができる。
【００３１】  そして、請求項４に記載の構造によれば、貫通穴内周面から軸心方向に向けて突起を設けたことにより、押しバネが貫通穴に嵌合しているだけでなく、突起によっても支えられる構造のため、押しバネと板状体とを一体化することができ、移送中に部品が離れて無くなってしまうこともなくなり、より強い作用・反作用の力を受けることができ、板状体に力を加えることができる。
【考案を実施するための最良の形態】
【００３２】  以下、本考案の一実施形態を、図面に基づいて説明する。
図１は、本考案の一実施形態を備える掲示物固定具の使用状態を示す斜視図である。【００３３】  この図１に示すように、この掲示物固定具は壁面等へ取り付けられた長方形形状のものである。
図示の使用形態では、メモや写真、ポスター等のシート状掲示物をとめ付けた状態を示している。【００３４】  図２は掲示物固定具の断面図である。
同図に示すように掲示物固定具は、掲示物を押えるための板状体（１）と、掲示物保持力を増すための弾力のある係止具（２）と、壁面等へ刺すためのピン（４）とピン（４）と板状体（１）とを一体化させ、さらに板状体（１）へ一定の力を加えるための弾性体（５）とからなっている。【００３５】  板状体（１）には長手方向一端（７）寄りに貫通穴（８）があり、その貫通穴（８）に弾性体（５）を介してピン（４）を通し、壁面等に取付ける。また、板状体（１）の他端（９）で掲示物（１２）を挟むため、メモ・写真・ポスター等の掲示物（１２）を針で貫通させる必要がなく、掲示物（１２）を損傷することなく取付けることができる。その際、板状体（１）の貫通穴（８）は長手方向一端（７）寄り、かつ中央に偏在させてあることが望ましい。貫通穴（８）が板状体（１）の中央にある場合では、掲示物（１２）を押さえる面が極端に狭くなるため、保持力が低下してしまい、板状体（１）の端部に貫通穴（８）がある場合は、掲示物押え面よりピンを刺す位置が離れてしまうため保持力が低下し、掲示物（１２）を取り替えることが難しくなってしまう。
ここで、貫通穴（８）はテーパ状または、階段状、もしくはテーパをつけた階段状であっても良い。これは貫通穴（８）の、ピンを差し込む方向の反対側部分が押しバネと嵌合する構造のため、その部分の貫通穴径以外はテーパであっても、階段状であっても、テーパをつけた階段状など、どのような形状でも機能を果たせるためである。
また、板状体（１）の形状は、ピンを差し込む貫通穴（８）が軸心より長手方向へ偏り、他端（９）の掲示物（１２）を押さえる面が広くとれるのであれば、楕円形や長方形などの他の形状であっても良い。
また、板状体（１）の厚みについて、５ｍｍ以下であると見た目が良く、掲示物取り替えも容易に行えるため望ましいが、掲示物（１２）の取付けに支障をきたさなければ、どの厚みでも良い。【００３６】  ここで弾性体（５）には押しバネ（６）を用いているので、ピン（４）とバネ内径とを容易に嵌合することができる。さらに、前記押しバネ（６）はピン（４）を差し込む方向とは反対方向に向けて漸次縮径しているため、貫通穴（８）より小径のピンと貫通穴（８）であっても、一つの押しバネでどちらにも同時に嵌合することができ、ピン（４）と押しバネ（６）と板状体（１）とを一体化させることができる。
また、押しバネ（６）を漸次縮径した形状にしたため、ピン（４）を刺し、押しバネ（６）が縮む際に、折れ曲がることなく縮むため、押しバネ（６）の弾性力を逃がすことなく板状体（１）を押さえることができる。【００３７】  また、ピン（４）は既に本出願人が特開２００４−２７０９１８で開示しており、具体的には自然状態で先端側が開脚する先鋭な二本の針を有し、この二本の針の先端側を、二本の針の通過を許容するワッシャーで閉脚状態に保持した軟質ボードへの取付け用ピンであり、二本の針が軟質ボード内で元の形状に開脚することにより、抜ける方向への移動の発生がなく、取付け相手の固定に緩みが生じないと共に、軟質ボードへの押し込みが軽い力で行えるピンである。また、前記ピン（４）は針部、円柱状の胴部、さらに胴部より大径の円柱頭部とに分かれており、円柱状の胴部を持つ事で押しバネ（６）と嵌合することができ、さらに押しバネ（６）を介して板状体（１）と一体化することができる。さらに、ピン胴部の円柱状部が頭部から針付け根にかけて漸次縮径しており、それにより押しバネの内周にスムーズに挿入できるようになる。さらにピン胴部が漸次縮径しているため、ピン胴部のほぼ中央位置で押しバネ（６）と嵌合することができるので、ピンを押しバネを介して板状体に取付けた際に、ピン取付け位置を常に最適に保つことができる。これは、押しバネ（６）をピン胴部のほぼ中央位置で嵌合することで、押しバネ（６）の全長が短くてもピン（４）と板状体（１）とが適度な距離で保たれるため、ピン（４）を押した時に必要なバネの力を得ることができる。仮に、ピン胴部が円柱状であった場合、ピン胴部径よりもピン頭部径を大きくし、押しバネ（６）を頭部に引っ掛けて抑えることしかできず、押しバネ（６）はピン胴部のほぼ中央位置では嵌合することができないが、本願ではピン胴部ほぼ中央位置の最適な位置を保つことができる。またピン胴部が円柱状であった場合、押しバネ（６）をピン頭部まで届くようにし、かつピン（４）と板状体（１）とを適度な距離に保つため、通常より押しバネ（６）の全長を長くする必要があり、コストアップにつながるが、本願では押しバネを長くする必要がなく、コストを抑えられる。【００３８】  そして、ピン（４）を突き刺す際に、押し回して入れる必要がないため、余計な力を押しバネ（６）に加える必要がないため、ねじ切れてしまうことはない。【００３９】  さらに、ピン（４）は２本足になっているため、石膏ボード等の脆弱な壁面等に突き刺していくと、中で２本足が開脚するためピン自体が回転することはない。結果、バネの弾性力がバネの回転方向に逃げることなく、抜き差し方向のみに決定されるので、より強固な押し付け力が得られる。さらに、壁面等の中で２本足が開脚するため、板状体（１）の一端（７）を押し、掲示物（１２）を取り替える際もピン（４）が抜けにくくなる。【００４０】  また、ピン（４）には、針先端部分にカバーを取付けてあり、それにより針先で怪我をしにくくなっている。さらに、針先端部分のカバーを取り外すことなくピン（４）を刺すことができる。【００４１】  さらに、板状体（１）にある貫通穴（８）において、前記ピン胴部径よりも貫通穴径を大き��しているため、板状体（１）にピン胴部が当たることがなくなり、ピン（４）を奥まで差し込むことができ、より強固に板状体（１）を固定することができる。仮にピン胴部と貫通穴（８）の大きさをほぼ同じにしてしまうと、ピン（４）が板状体（１）を貫通できなくなり、ピン（４）をとめても保持強度がでない場合がある。【００４２】  そして、板状体（１）の貫通穴（８）において、ピン（４）を差し込む反対の側に、内周面より小さな円、つまり段差（１１）を設けることにより、押しバネ（６）が貫通穴（８）から抜け落ちることを防ぐ。さらに、ピン（４）を押した際に、押しバネ（６）が貫通穴（８）を通り抜け直接掲示物に当たり、傷をつけることを防ぐ働きもある。さらに、貫通穴（８）の段差（１１）で押しバネ（６）を受けることになり、ピン（４）を刺した時の押しバネ（６）の弾性力を効率よく板状体（１）の全体へ伝え、掲示物に常時より強固な力を均一に加えることができる。【００４３】  また、貫通穴内周面上に軸心方向へ向けて突起（１０）を設け、その突起（１０）の場所は貫通穴内に設けた段差より、押しバネ（６）の線径以上分だけ離れた位置へ設置する。この突起（１０）により、押しバネ（６）は貫通穴（８）と嵌合しているだけでなく、突起（１０）と段差（１１）との間に挟まれている構造となっているため、より脱落しにくくなり、そのため押しバネ（６）と嵌合しているピン自体も脱落しにくくなり、板状体（１）・押しバネ（６）・ピン（４）とがより強固に一体化させることができる。【００４４】  また、貫通穴（８）の内面に設置する突起（１０）の位置方向としては、板状体（１）の長手方向一端（７）の方向に設置することが望ましい。これは掲示物（１２）を取り替える際に、板状体（１）の長手方向一端（７）側を押すことで他端（９）が浮き上がる構造のため、前記の場所に突起（１０）を設置することによって、より押しバネ（６）を挟持することができる。【００４５】  ここで、貫通穴（８）内に設けた突起（１０）は押しバネ（６）の脱落を防ぐ働きをするので、突起の数は複数であっても良く、突起（１０）を設ける場所は、貫通穴（８）内に設けた段差（１１）と貫通穴（８）の針を差し込む側の端部との間に位置し、貫通穴（８）の内側に設けた段差（１１）と突起（１０）との隙間が押しバネの線径以上分だけ確保できればどこでも良い。これは、バネの線径以上の隙間がないと、突起（１０）によってバネを抑えることができないためである。【００４６】  また、突起（１０）の形状は貫通穴（８）の内面から貫通穴軸心に向かう側が、貫通穴円に沿って円弧になっていることが望ましい。これは、ピン（４）を押した際に、突起によって押しバネ（６）の伸縮が阻害されにくい形のためである。また突起先端が円弧状以外でも、押しバネ（６）の伸縮を阻害しなければ、掲示物を貼ることに問題が生じないため、どのような形状でも良い。【００４７】  さらに、貫通穴（８）の内側の段差は、ピン（４）を差し込む側から見て、突起（１０）が設置された部分の延長部分を欠いた状態にしている。通常では硬い樹脂等の材質で製造する場合、貫通穴内段差（１１）と突起（１０）を同時に製造することが不可能であるが、貫通��内段差（１１）に欠落部分を設けたことで、成型時に貫通穴内段差（１１）を設けるためのピンと、反対側から突起（１０）を設けるためのピンを利用することにより、一度で貫通穴内段差（１１）、突起（１０）、そして貫通穴内段差（１１）と突起（１０）との隙間を製作することができる。【００４８】  また、板状体（１）の長手方向の貫通穴（８）がある側の一端（７）が、ピンを差し込む側に突出した形状になっている。掲示物固定具を施工後、突出した部分を指で押す事により、押しバネの他端（９）の側が縮み、掲示物（１２）を押さえる面が浮き上がり、掲示物（１２）を挟むことができる。これにより、一度壁面等へピン（４）を刺した後でも、ピン（４）を抜くことなく掲示物（１２）を容易に取り替えることができる。この際、前記突出部分の角度を大きくし過ぎると、板状体（１）に過度の力がかかり、ピン（４）が抜けてしまうおそれがあり、また前記突出部分の角度が小さすぎると、掲示物（１２）を押さえる面が浮き上がらず、掲示物（１２）を容易に取り替えることができないので、前記突出部の角度としては１２０°以上１５０°以下が望ましい。【００４９】  また、板状体（１）の一端（７）に設けた突出部には、凹凸を設けることが望ましい。このことにより、突出部を押さえる際の指すべりを防ぐことができる。また、凹凸を設けたことで、例えば暗所でも掲示物固定具の表裏を容易に識別できる。具体的には板状体（１）の短手方向に凹凸状の溝を少なくとも１つ以上設けることが望ましいが、これに限らず溝を長手方向に１つ以上設けたり、エンボス状に溝を設けるなど、指のすべりを防止したり、掲示物固定具の表裏を指の感覚で判別出来れば、どのような形状でもかまわない。【００５０】  また、板状体（１）の他端（９）の掲示物（１２）を押える側の面に凹部を設け、そこへ板状体（１）よりも弾性のある素材の係止具（２）を装填する。係止具（２）にパッキン（３）を用いたことにより、高摩擦を有することができ、掲示物（１２）の保持力をさらに強くすることができる。また、従来ある規格を用いることでコストを抑えることができる。さらに、前記凹部を係止具（２）よりも小さくすることにより、はめ込むだけで係止具を簡単に装填・保持することができる。
ここで、係止具としてはパッキン（３）が望ましいが、ゴムなど、高摩擦を有するものであれば何でも良い。【００５１】  さらに、凹部をドーナツ型にしたことで、通常の円形の外径のみの嵌合で、パッキン（３）を保持するのではなく、ドーナツ型の外径及び内径で嵌合させるため、パッキン（３）を強固に保持することができる。
また、係止具（２）の形状としては、小さい丸型を複数設けたり、丸・四角・三角の形状を設けたりしても良いが、凹部はドーナツ型が望ましい。これは、従来ある規格をそのまま利用でき、コストダウンを図れるとともに、外径形状だけでなく、内径形状によっても高摩擦材を嵌合できるため、より安定し強固に高摩擦材を保持することができるためである。また、ドーナツ形状の場合、例えば暗所でも指で触った時に分かり易く、前記（００４９）に記載の凹凸と同時に用いる事で、掲示物固定具の表裏の判別が容易となる。【００５２】  このように、板状体（１）の一端（７）に設けた突出部と弾力のある係止具（２）の形状について、表裏が暗所でも容易に判別できれば、例えば前記突出部の凹凸と他端のドーナツ型との形状を入れ替えたり、他の形状の組合せを用いたりと、どのような形状や組み合わせを用いても良い。
【図面の簡単な説明】
【００５３】
【図１】  本考案の一実施形態である掲示物固定具の使用状態を示す斜視図である。
【図２】  本考案の掲示物固定具の断面図である。
【図３】  本考案の掲示物固定具の側面図である。
【符号の説明】
【００５４】  （１）板状体
（２）弾力のある係止具
（３）パッキン
（４）ピン
（５）弾性体
（６）押しバネ
（７）一端
（８）貫通穴
（９）他端
（１０）突起
（１１）貫通穴内段差
（１２）掲示物
【図１】
0003126004.tif 000003
【図２】
0003126004.tif 000004
【図３】
0003126004.tif 000005